(57)【要約】【課題】  光学手ぶれ補正付きデジタルカメラ・ビデオカメラにおいて、モニタで撮像画像を確認しつつ、レリーズスイッチが押されるまでは、手ぶれ補正アクチュエータへの通電を切断しつつ省電力を達成することを目的とする。【解決手段】  撮像手段のモニタ手段、ぶれ補正手段、前記ぶれ補正手段の通電を削減または切断して前記モニタ手段にてモニタする省電力待機モードとぶれ補正手段を動作させながらモニタする通常モードを備え、省電力待機モードの時にモニタ手段に表示される画像の中心は、通常モードにおいてぶれ補正手段が初期所定位置にあるときの画像の中心とほぼ合致するように、撮像画像を加工表示することを特徴とするカメラ。【選択図】        図１
2006080969.tif 000002
【特許請求の範囲】
【請求項１】
レンズ手段を通して撮影された被写体像を電気信号に変換する撮像手段と、前記撮像手段出力をモニタするモニタ手段と、前記レンズ手段の中の一部のぶれ補正光学系を移動することにより前記被写体像のぶれを補正するぶれ補正手段とを備えたカメラにおいて、前記ぶれ補正手段の通電を削減または切断して前記モニタ手段にて撮像信号をモニタする省電力待機モードと、ぶれ補正手段を動作させながら前記モニタ手段で撮像信号をモニタする通常モードの動作モードを備え、前記省電力待機モードのときに前記モニタ手段に表示される画像の中心は、前記通常モードにおいて前記ぶれ補正手段が初期所定位置にあるときの撮像画像の中心とほぼ合致するように、前記撮像画像を加工表示することを特徴とするカメラ。
【請求項２】
前記加工表示とは、前記ぶれ補正光学系の位置情報に基づいて前記撮影画像の一部を切り出して表示することを特徴とする請求項１に記載のカメラ。
【請求項３】
変倍光学系のあるレンズ手段を通して撮影された被写体像を電気信号に変換する撮像手段と、前記撮像手段出力をモニタするモニタ手段と、前記レンズ手段の中の一部のぶれ補正光学系を移動することにより前記被写体像のぶれを補正するぶれ補正手段とを備えたカメラにおいて、前記ぶれ補正手段の通電を削減または切断して前記モニタ手段にて撮像信号をモニタする省電力待機モードと、ぶれ補正手段を動作させながら前記モニタ手段で撮像信号をモニタする通常モードの動作モードを備え、前記省電力待機モードのときに前記モニタ手段に表示される画像は、前記通常モードにおいて前記ぶれ補正手段が初期所定位置にあるときの撮像画像とほぼ合致するように、前記レンズ手段の変倍光学系で調整すると共に前記撮像画像を加工表示することを特徴とするカメラ。
【請求項４】
前記ぶれ補正手段の位置情報に基づいて前記変倍光学系にて広角側に移動すると共に、前記撮影画像の一部を切り出して表示することを特徴とする請求項３に記載のカメラ。
【請求項５】
前記ぶれ補正手段の位置情報、及び前記変倍光学系で決定される焦点距離に基づいて前記ズームレンズ手段にて広角側に移動すると共に、前記撮影画像の一部を切り出して表示することを特徴とする請求項３に記載のカメラ。
【請求項６】
前記カメラは、撮影開始または撮影準備開始のトリガを与えるレリーズボタンとを備え、前記レリーズボタンをトリガとして前記省電力待機モードから通常モードへ移行することを特徴とする請求項１から請求項５いずれかに記載のカメラ。
【請求項７】
前記省電力待機モードへは、バッテリーの残量が所定しきい値を下回ったときにのみ移行することを特徴とする請求項１から請求項６いずれかに記載のカメラ。
【発明の詳細な説明】
【技術分野】
【０００１】
本発明は、光学式手ぶれ補正装置を備えたデジタルビデオカメラやデジタルスチルカメラ等の撮像機器に関して有効な技術に関し、特に消費電力の節約技術と撮像画像表示技術に関する。
【背景技術】
【０００２】
従来より、撮像に際して、手ぶれを補正する技術はさまざまな方式が提案されている。その中でも、動画撮影のみならず、静止画撮影に対しても有効な方式として、撮像機器の手ぶれ等の揺れ情報を、振動ジャイロ等に代表される角加速度センサを用いて検出し、その検出結果に基づいて、揺れを打ち消すように光学系の一部を動かす、手ぶれ補正装置が一般的になっている。前記光学系の一部を動かす、光学手ぶれ補正の補正方式としては、撮影光学系の一部の手ぶれ補正レンズを、光軸と垂直方向に動かして補正する方式や、頂角可変プリズムの頂角を可変することで補正する方式などがある。いずれの補正方式も、リニアモータ等のアクチュエータが用いられ、電気的に補正レンズや頂角プリズムが駆動される。しかし、電気的にアクチュエータにて駆動するため、撮影待機状態でも常時手ぶれ補正を行うには電力を必要とし、撮像機器の撮影時間や撮影枚数が減少する欠点があった。その対策として、特許文献１には、待機時で且つ電池の残量が所定値未満のときは、補正レンズの駆動を停止することで、電力の削減を達成する発明が開示されている。
【特許文献１】特開２００１‐２９６５７５号公報
【発明の開示】
【発明が解決しようとする課題】
【０００３】
しかし、電力の削減のために防振の駆動を停止すると、手ぶれ補正レンズや頂角可変プリズムは、重力等の外部からの力により中央から外れた位置で停止してしまう。つまりは、駆動を停止した状態では、意図していない画角で撮像しつつ停止している可能性が高い。この状態から本撮影を開始するには、手ぶれ補正の駆動を再開する必要があるが、まずは、どちらの方向にも手ぶれ補正動作ができるように、手ぶれ補正レンズの初期位置を中央まで移動してから開始する必要がある。しかし、そのために、停止時の画角とは異なる画角で本撮影が開始される欠点があった。
【０００４】
この問題が発生しないように、手ぶれ補正開始位置の本来意図した画角で停止をしつづけるためには、手ぶれ補正レンズや頂角可変プリズムに電力を与え続ける必要があるが、これでは、省電力を達成できない。
【０００５】
この問題を解決するための一つの手段として、撮像信号を表示するモニタがオフのときにかぎっては、手ぶれ補正の駆動も停止する発明が特開２００１−２９０１８６号公報に開示されているが、撮影待機時に撮像信号をモニタに表示しつつ、手ぶれ補正駆動部の電力を削減することは不可能である。
【０００６】
本発明は、上述のいずれの問題をも解決するもので、省電力を達成しつつ、撮影待機時にも撮像信号をモニタに表示することを可能にし、かつ、本撮影再開で手ぶれ補正動作を再開しても、画角の変化を起さないようにすることを目的とする。
【課題を解決するための手段】
【０００７】
上記の目的を達成するために、本発明の請求項１のカメラは、レンズ手段を通して撮影された被写体像を電気信号に変換する撮像手段と、前記撮像手段出力をモニタするモニタ手段と、前記レンズ手段の中の一部のぶれ補正光学系を移動することにより前記被写体像のぶれを補正するぶれ補正手段とを備えたカメラにおいて、前記ぶれ補正手段の通電を削減または切断して前記モニタ手段にて撮像信号をモニタする省電力待機モードと、ぶれ補正手段を動作させながら前記モニタ手段で撮像信号をモニタする通常モードの動作モードを備え、前記省電力待機モードのときに前記モニタ手段に表示される画像の中心は、前記通常モードにおいて前記ぶれ補正手段が初期所定位置にあるときの撮像画像の中心とほぼ合致するように、前記撮像画像を加工表示することを特徴とするものである。
【０００８】
また、本発明の請求項３のカメラは、変倍光学系のあるレンズ手段を通して撮影された被写体像を電気信号に変換する撮像手段と、前記撮像手段出力をモニタするモニタ手段と、前記レンズ手段の中の一部のぶれ補正光学系を移動することにより前記被写体像のぶれを補正するぶれ補正手段とを備えたカメラにおいて、前記ぶれ補正手段の通電を削減または切断して前記モニタ手段にて撮像信号をモニタする省電力待機モードと、ぶれ補正手段を動作させながら前記モニタ手段で撮像信号をモニタする通常モードの動作モードを備え、前記省電力待機モードのときに前記モニタ手段に表示される画像は、前記通常モードにおいて前記ぶれ補正手段が初期所定位置にあるときの撮像画像とほぼ合致するように、前記レンズ手段の変倍光学系で調整すると共に前記撮像画像を加工表示することを特徴とするものである。
【発明の効果】
【０００９】
手ぶれ補正機能付きカメラにおいて、手ぶれ補正手段の通電を削減もしくは遮断してモニタ手段にて撮像信号をモニタする省電力待機モードと、手ぶれ補正手段を動作させて撮像信号をモニタするモニタ手段する通常モードを備え、前記省電力待機モードでは、通常モードの初期位置と画像中心がほぼ一致するように画像を切り出し加工して表示することで、モニタで被写体を確認しつつ、省電力待機モードから通常モードへモード移行が発生しても、被写体の位置が動くことが無いので、カメラを構える方向を修正する必要がなく、使用者にストレスを与えるような違和感の無い撮影が可能になる効果があり、撮影の直前から手ぶれ補正を動作させることで、大幅な省電力効果が期待できる。
【００１０】
さらに、省電力待機モードにおいて、通常モードの初期位置と画像がほぼ一致するように、ズームで画角を広げた上で切り出し加工表示することで、モニタで被写体を確認しつつ省電力待機モードから通常モードへ移行が発生しても、モニタ画面にほとんど変化が無いため、カメラを構える方向を修正する必要が無く、違和感の無い、スムーズな撮影が可能になる効果があるとともに、撮影の直前から手ぶれ補正を動作させることで、大幅な省電力効果が期待できる。
【発明を実施するための最良の形態】
【００１１】
ここでは、図面を参照しながら、本発明の実施の形態について説明する。
【実施例】
【００１２】
図１は、第１実施例、第２実施例共通のカメラの構成を表す図である。ここで言うカメラとは、動画や静止画を撮影してテープや固体メモリ、光ディスクや磁気ディスク等のさまざまなメディアに記録する、いわゆるビデオカメラやデジタルスチルカメラ等を総称してカメラと呼ぶ。カメラ内の各ユニットは、バス１６０を介して接続されており、各ユニットはメインＣＰＵ１５１によって制御される構造になっている。
【００１３】
レンズユニット１０１には、固定レンズ１０２、ズームレンズ１１１、絞り１０３、ぶれ補正レンズ１２１、フォーカスレンズ１３１が含まれ、これらの光学部材を通して、撮像素子１４１上に結像することで、被写体の撮像を行う。ズーム制御１１３は、メインＣＰＵ１５１の指示に従いズームモータ１１２を駆動することでズームレンズ１１１を駆動する。同様にフォーカス制御１３３は、メインＣＰＵ１５１の指示に従い、フォーカスモータ１３２を駆動することで、フォーカスレンズ１３１を駆動する。ぶれ補正制御１２４は、振動ジャイロセンサ等のぶれ検出回路１２５でカメラの水平・垂直方向のぶれ情報を検出する。また、ぶれ補正レンズ１２１には、ぶれ補正レンズの位置を検出する位置センサ１２３が付いており、ぶれ補正制御１２４は、ぶれ補正レンズ１２１の水平・垂直の現在位置を常時検出、監視する。このカメラのぶれ情報とぶれ補正レンズ１２１の現在位置にもとづいて、ぶれ補正モータ１２２を駆動することで、ぶれ補正レンズ１２１を水平・垂直方向に目標位置に向けて駆動し、ぶれ補正動作を行う。
【００１４】
ぶれ補正動作を行わないときや、ぶれ補正を開始する直前は、位置センサ１２３にもとづいて、ほぼ中央の位置で停止するように制御をかける。また、省電力のためにぶれ補正モータ１２２の通電を切った場合にも、位置センサ１２３の位置を検出しつづけることで、ぶれ補正レンズの止まっている位置を知ることが可能になる。なお、ぶれ補正レンズは水平・垂直に移動するタイプではなく、可変頂角プリズムを用いても同様の効果が得られることは言うまでもなく、ぶれ補正レンズ（頂角可変プリズム）を固定レンズ１０２よりも被写体側に配置しても構わない。
【００１５】
撮像素子１４１に結像された画像は撮像素子１４１にて光電変換され撮像信号処理１４２で画像信号として整えられ、一時的にＲＡＭ１５４に蓄積される。ＲＡＭ１５４に蓄積された画像信号は、画像圧縮解凍回路１５３にて圧縮処理され、画像記録用メディア１５７に記録される。これと平行して、ＲＡＭ１５４に蓄積された画像信号は、画像処理１５２にて最適なサイズに縮小・拡大処理がなされ、モニタディスプレイ１５０に表示することで、リアルタイムで撮影画像を撮影者に対してフィードバックする。また、撮影直後には、モニタディスプレイに所定時間だけ撮影画像を表示することで、撮影画像の確認を行うことも可能になる。
【００１６】
操作スイッチ１５６には、電源スイッチやズームスイッチ、レリーズスイッチ等が含まれる。電源スイッチは、カメラの電源のＯＮ／ＯＦＦを行い、ズームスイッチは、ズームの駆動の指示を行う。レリーズスイッチは２段押しの構成になっており、１段目をＳＷ１、２段目をＳＷ２と呼ぶ。ＳＷ１では、撮影スタンバイからの復帰や撮影開始準備の指示（たとえば手ぶれ補正開始とか、オートフォーカスの開始、測光の開始の指示など）を行い、ＳＷ２では、撮影を行い画像記録用メディア１５７への画像の記録を指示を行う。特に、本実施例では、ＳＷ１にてぶれ補正モータ１２２の通電を切断した省電力待機モードからぶれ補正モータ１２２への通電を開始した通常モードへの復帰の指示を行う。
【００１７】
電源管理ユニット１５８は、これに接続されたバッテリー１５９の電源状態をチェックしたり、バッテリーを充電したりの電源管理を行う。
【００１８】
これらの動作に先立って、カメラがＯＦＦ状態から起動すると、フラッシュメモリ１５５に格納されていたプログラムがＲＡＭ１５４の一部にロードされてメインＣＰＵ１５１はこのＲＡＭ１５４にロードされたプログラムにしたがって動作を行う。
【００１９】
図２は、ぶれ補正レンズ１２１とぶれ補正モータ１２２に関する構造を表す図である。２０７はぶれ補正レンズ１２１のレンズの枠であり、ぶれ補正モータ１２２はレンズ枠２０７を水平に動かす。また、ぶれ補正モータ１２２’はレンズ枠２０７を垂直に移動させる。ぶれ補正モータ１２２、１２２’の２０１、２０２、２０４、２０５はステータの磁石（またはヨーク）で、２０３と２０６はコイルである。２０３や２０６のコイルに電流を流すことでぶれ補正レンズ１２１を駆動する。
【００２０】
［第１実施例］
図３は、第１実施例の動作を説明する図である。通常モード開始時とは、ぶれ補正モータ１２２に通電が行われて手ぶれ補正を開始したときの状態のことで、レンズ１２１のほぼ中央に静止している。これに対して、省電力待機モードとは、ぶれ補正モータ１２２の通電を切断した状態であり、レンズ１２１が重力等の影響により偏って止まっている状態である。図３（ａ）は、撮像の画角を表す図で、３０１が通常モード開始時の画角であり、３０２が省電力待機モードの画角の一例である。図３（ｃ）は、通常モード開始時のモニタディスプレイ１５０に表示される画面であり、図３（ａ）の通常モードで撮影している画角のほぼ全てを表示している。これに対して省電力待機モードでは、そのまま表示すると画像の中心がずれてしまう。そこで、図３（ｂ）の３０３に表すように、画像の中心が通常モード開始時とほぼ一致するように画像の一部を切り出して、図３（ｄ）のごとくモニタ表示する。これにより、ディスプレイへの表示面積の変化はあれど、被写体の位置が変わらないので、省電力待機モードから通常モードへ移行しても、カメラの構える方向を変えることなく撮影を続けることができる。
【００２１】
図３（ｅ）は、通常モードの表示の際に、あえて縁付きで表示した例で、縁をつけることで、図３（ｄ）の省電力待機モードから通常モードへ移行したときに、被写体の位置が変わらないばかりか、画角の変化も発生しない。また、図３（ｆ）は、省電力待機モードにて縁付きの表示の変わりに拡大表示を行う例である。通常モードでも同様の拡大表示を行えば、モード移行による画角の変化は、同様に発生しない。
【００２２】
次に、図４を用いて、第１実施例の動作移のアルゴリズムについて説明する。Ｓ４０１から動作を開始をして、Ｓ４０２にて、まず電源管理ユニット１５８にてバッテリーの残量チェックを行う。Ｓ４０３にて、レリーズスイッチのＳＷ１がＯＮかどうかの判断を行い、ＳＷ１がＯＮの場合はＳ４１１へ進み、ＯＦＦの場合はＳ４０４へと進む。Ｓ４０４では、Ｓ４０２でチェックしたバッテリーの残量が所定値以上かどうかの判断を行い、所定値以上ならばＳ４３１へと進み、所定値未満ならばＳ４４１へと進む。Ｓ４３１では、モードを通常モードに設定して、Ｓ４３２にて手ぶれ補正を開始して、Ｓ４３３で図３（ｃ）で表されるような通常モニタ表示を行い、Ｓ４０２へと進む。Ｓ４０４にてバッテリー残量が所定値未満の場合は、Ｓ４４１にて省電力待機モードへと移行する。Ｓ４４２では、手ぶれ補正を停止して、手ぶれ補正モータ１２２の通電を切断する。Ｓ４４３では、ぶれ補正レンズ１２１のレンズ位置を位置センサ１２３から読み込み、Ｓ４４４にてレンズを中央に止めた場合の初期位置との差分を計算する。Ｓ４４５では、Ｓ４４４で計算した差分から図３（ｂ）の３０３のごとく画像切り出し処理を行い、Ｓ４４６では、図３（ｄ）のごとく省電モニタ表示を行い、Ｓ４０２へと進む。
【００２３】
Ｓ４０３にて、ＳＷ１がＯＮと判断された場合は、Ｓ４１１では、モードを通常モードに設定して、Ｓ４１２にて手ぶれ補正を開始して、Ｓ４１３で図３（ｃ）で表されるような通常モニタ表示を行う。次に、Ｓ４１４では、撮影の準備として測光処理を行い、Ｓ４１５では、オートフォーカス動作を行う。Ｓ４１６では、撮影開始指示となるレリーズスイッチのＳＷ２がＯＮかどうかの判断を行う。ＳＷ２がＯＮでない場合はＳ４１６へ進み繰り返すことで、待機する。Ｓ４１６でＳＷ２がＯＮの場合は、Ｓ４１７で画像の取り込みを行い、Ｓ４１８では、画像取り込みが終了したので、省電力のため、手ぶれ補正を停止して、Ｓ４１９では画像の圧縮処理を行う。Ｓ４１９で圧縮処理が完了したら、Ｓ４２０で画像記録用メディア１５７へ記録を行い、Ｓ４２１では、記録画像の確認表示をモニタディスプレイ１５０に行いＳ４０２へと進み、以後繰り返す。
【００２４】
［第２実施例］
図５は、第２実施例の動作を説明する図である。通常モード開始時が、ぶれ補正モータ１２２に通電が行われて手ぶれ補正を開始したときの状態で、レンズ１２１をほぼ中央に静止しているのに対して、省電力待機モードは、ぶれ補正モータ１２２の通電を切断した状態であり、レンズ１２１が重力等の影響により偏って止まっている状態であるのは、第１実施例に同じである。
【００２５】
図５（ａ）は、撮像の画角を表す図で、３０１が通常モード開始時の画角であり、３０２が省電力待機モード（初期状態）の画角の一例である。図５（ｃ）は、通常モード開始時のモニタディスプレイ１５０に表示される画面であり、図５（ａ）の通常モードで撮影している画角のほぼ全てを表示している。これに対して省電力待機モードでは、そのまま表示すると画像の中心がずれてしまう。そこで、図５（ｂ）の５０２に表すように、画像の中心が通常モード開始時とほぼ一致するように画像の一部を切り出すが、これに先立って、まず、図５（ａ）の３０２に示す省電力待機モードの初期状態の画角からズームを広角側に移動することで、図５（ａ）の５０１に示すごとく、広角の撮像画角に設定する。その後、図５（ｂ）の５０２に表すように、画像の中心が通常モード開始時とほぼ一致するように画像の一部を切り出して、図５（ｄ）のごとく、モニタ画面いっぱいに表示する。これにより、省電力待機モードでのモニタ画角と、通常モードの開始時のモニタ画角は同一になり、移行による画角に変化は発生しないので、違和感無く、そのまま撮影を続けることができる。
【００２６】
なお、図５の５０１は３０２に対して、説明の都合上大きい枠で表現されているが、実際には広角側にズームしているので、撮像の大きさが同じで被写体が小さくなることで、画角が広がる。
【００２７】
次に、図６を用いて、第１実施例の動作移のアルゴリズムについて説明する。Ｓ６０１から動作を開始をして、Ｓ６０２にて操作スイッチ１５６に含まれるズームスイッチにてズーム操作が行われた場合は、ズームレンズ１１１及びフォーカスレンズ１３１を連動して動かすことでズーム動作を行い、Ｓ６０３で、現在のズームレンズの位置をメモリに記憶する。Ｓ６０４では、電源管理ユニット１５８にてバッテリーの残量チェックを行う。Ｓ６０５にて、レリーズスイッチのＳＷ１がＯＮかどうかの判断を行い、ＳＷ１がＯＮの場合はＳ６１１へ進み、ＯＦＦの場合はＳ６０６へと進む。
【００２８】
Ｓ６０６では、Ｓ６０４でチェックしたバッテリーの残量が所定値以上かどうかの判断を行い、所定値以上ならばＳ６３１へと進み、所定値未満ならばＳ６４１へと進む。Ｓ６３１では、モードを通常モードに設定して以前が省電力待機モードだった場合は以下Ｓ６３２からＳ６３３の動作を行う。Ｓ６３２にて手ぶれ補正を開始して、Ｓ６３３では、Ｓ６０３で記憶したズーム位置へとズームを移動して、Ｓ６３４で図５（ｃ）で表されるような通常モニタ表示を行い、Ｓ６０２へと進む。Ｓ６０６にてバッテリー残量が所定値未満の場合は、Ｓ６４１にて省電力待機モードへと移行して、以前が通常モードの場合は、以下Ｓ６４２からＳ６４６の動作を行う。Ｓ６４２では、手ぶれ補正を停止して、手ぶれ補正モータ１２２の通電を切断する。Ｓ６４３では、ぶれ補正レンズ１２１のレンズ位置を位置センサ１２３から読み込み、Ｓ６４４にてレンズを中央に止めた場合の初期位置との差分を計算する。Ｓ６４５では、Ｓ６４４で計算した差分から図５（ａ）の５０１の画角になるようにズーム位置を演算してズームの移動量を算出する。Ｓ６４６では、Ｓ６４５で算出されたズーム移動量に基づいてズームの移動を行う。Ｓ６４７では、Ｓ６４４で計算した差分から図５（ｂ）の５０２のごとく画像切り出し処理を行い、Ｓ６４８では、図５（ｄ）のごとく省電モニタ表示を行い、Ｓ６０４へと進む。
【００２９】
Ｓ６０５にて、ＳＷ１がＯＮと判断された場合は、Ｓ６１１では、モードを通常モードに設定して、以前が省電力待機モードだった場合は、以下Ｓ６１２からＳ６１３までの動作を行う。Ｓ６１２にて手ぶれ補正を開始して、Ｓ６１３では、Ｓ６０３で記憶したズーム位置へとズームを移動して、Ｓ６１４で図５（ｃ）で表されるような通常ディスプレイ表示を行う。次に、Ｓ６１５では、撮影の準備として測光処理を行い、Ｓ６１６では、オートフォーカス動作を行う。
【００３０】
Ｓ６１７では、撮影開始指示となるレリーズスイッチのＳＷ２がＯＮかどうかの判断を行う。ＳＷ２がＯＮでない場合はＳ６１７へ進み繰り返すことで、待機する。Ｓ６１７でＳＷ２がＯＮの場合は、Ｓ６１８で画像の取り込みを行い、Ｓ６１９では、画像取り込みが終了したので、省電力のため手ぶれ補正を停止して、Ｓ６２０では画像の圧縮処理を行う。Ｓ６２０で圧縮処理が完了したら、Ｓ６２１で画像記録用メディア１５７へ記録を行い、Ｓ６２２では、記録画像の確認表示をディスプレイ１５０へ行いＳ６０２へと進み、以後繰り返す。
【００３１】
本実施例では、省電力待機モードでは手ぶれ補正モータの電力を供給しないことで説明したが、完全に電力を供給しないのではなく、電力を削減することで省電力を達成しても構わない。
【００３２】
また、手ぶれ補正の光学系１２１がズームレンズ１１１よりも被写体側に存在する場合等は、省電力待機モードによるズームの画角拡大率をズームレンズの位置に応じて変化させることが有効である。このような光学系では、ズームレンズが広角側のときは、手ぶれ補正レンズの敏感度が低くなるため、ズームレンズによる画角の補正も微量にとどめ、望遠側のときは、手ぶれ補正レンズの敏感度が高くなるため、ズームレンズによる画角の補正を大きくする。つまり、広角側での補正量が微量で良いため、特に本方式が有効に働く。
【図面の簡単な説明】
【００３３】
【図１】実施例のシステムの構成を表す図
【図２】実施例を説明する図
【図３】第１実施例を説明する図
【図４】第１実施例の動作を説明するフローチャート
【図５】第２実施例を説明する図
【図６】第２実施例の動作を説明するフローチャート
【符号の説明】
【００３４】
１０１  レンズユニット
１０２  固定レンズ
１０３  絞り
１１１  ズームレンズ
１１２  ズームモータ
１１３  ズーム制御
１２１  ぶれ補正レンズ
１２２，１２２’  ぶれ補正モータ
１２３  位置センサ
１２４  ぶれ補正制御
１２５  ぶれ検出回路
１３１  フォーカスレンズ
１３２  フォーカスモータ
１３３  フォーカス制御
１４１  撮像素子
１４２  撮像信号処理
１５０  モニタディスプレイ
１５１  メインＣＰＵ
１５２  画像処理
１５３  画像圧縮解凍回路
１５４  ＲＡＭ
１５５  フラッシュメモリ
１５６  操作スイッチ
１５７  画像記録用メディア
１５８  電源管理ユニット
１５９  バッテリー
１６０  バス
２０１，２０２，２０４，２０５  ステータの磁石（またはヨーク）
２０３，２０６  コイル
２０７  レンズ枠
【図１】
2006080969.tif 000003
【図２】
2006080969.tif 000004
【図４】
2006080969.tif 000005
【図６】
2006080969.tif 000006
【図３】
2006080969.tif 000007
【図５】
2006080969.tif 000008